(57)【要約】【課題】車椅子使用者の移乗部への移乗を容易にしつつ、車椅子使用者の移乗部からの動線を確保することができる建物を得る。【解決手段】駐車面２６から畳コーナー４６の床面４８までの高さは、駐車面２６に停まった車椅子２４から車椅子使用者が畳コーナー４６へ移乗することが可能な高さに設定されている。このため、車椅子使用者が駐車面２６に停まった車椅子２４から畳コーナー４６に容易に移乗することができる。また、畳コーナー４６と隣接する部屋６６の床面６０から畳コーナー４６の床面４８までの高さは、床面６０に停まった車椅子６４に畳コーナー４６から移乗可能な高さに設定されている。このため、車椅子使用者が部屋６６の床面６０に停まった車椅子６４に畳コーナー４６から容易に移乗することができ、ひいては車椅子使用者が車椅子６４に乗って建物１０内を移動することが可能になる。【選択図】図１
2017206835.tif 000002
【特許請求の範囲】
【請求項１】
第１の車椅子で進入可能な進入面と並設されると共に当該進入面に停まった当該第１の車椅子から移乗可能な高さに当該進入面から移乗面までの高さが設定された移乗部と、
前記移乗部と隣接しかつ第２の車椅子で移動可能な床面を備えると共に当該床面に停まった当該第２の車椅子に前記移乗部から移乗可能な高さに当該床面から前記移乗面までの高さが設定された部屋と、
を有する建物。
【請求項２】
前記部屋は、洗面室、トイレ及び浴室のうち少なくとも浴室を含むと共に、
前記部屋側と屋外側とを連通する勝手口をさらに有する、
請求項１記載の建物。
【請求項３】
前記進入面のレベルと前記床面のレベルとが同じレベルに設定されている、
請求項１又は請求項２に記載の建物。
【請求項４】
前記移乗部は、当該移乗部から水平方向に張り出して前記進入面の建物上方側に位置する第１張出部と、当該移乗部から水平方向に張り出して前記床面の建物上方側に位置する第２張出部と、を有する、
請求項１〜請求項３の何れか１項に記載の建物。
【請求項５】
前記移乗部は、前記進入面側の周縁部及び前記部屋側の周縁部以外の周縁部において玄関に廊下を介して接続されている、
請求項１〜請求項４の何れか１項に記載の建物。
【請求項６】
前記進入面は、建物に設けられたインナーガレージの駐車面とされている、
請求項１〜請求項５の何れか１項に記載の建物。
【請求項７】
前記玄関側にガレージ出入口が設けられていると共に当該玄関の一方側に配置された前記インナーガレージとしての第１インナーガレージと、
前記玄関の前記一方側と反対側の他方側に配置されていると共に当該玄関に設けられた第１玄関出入口を介して当該玄関と連通されている第２インナーガレージと、
前記玄関における前記ガレージ出入口側に設けられた第２玄関出入口と、
をさらに有し、
前記廊下は、前記部屋に接続されている、
請求項５を引用する請求項６に記載の建物。
【発明の詳細な説明】
【技術分野】
【０００１】
本発明は、建物に関する。
【背景技術】
【０００２】
下記特許文献１には、建物に関する発明が開示されている。この建物では、土間と隣接した部屋の床レベルが、この土間の土間レベルよりも高く設定されている。詳しくは、この部屋の床レベルは、土間の土間面に停まった状態の車椅子の座面とほぼ等しい高さに設定されている。このため、車椅子使用者は、土間からこの土間と隣接する部屋に移動するときに、車椅子からこの部屋の床（移乗部）に容易に移乗することができる。
【先行技術文献】
【特許文献】
【０００３】
【特許文献１】特開２０１０−１５０８０４号公報（図２）
【発明の概要】
【発明が解決しようとする課題】
【０００４】
しかしながら、上記特許文献１に記載された先行技術による場合、土間に停められた車椅子から移乗部への移乗は容易になるものの、車椅子使用者が移乗部から建物内の他の箇所へ移動する場合については考慮されておらず、この点で改善の余地がある。
【０００５】
本発明は上記事実を考慮し、車椅子使用者の移乗部への移乗を容易にしつつ、車椅子使用者の移乗部からの動線を確保することができる建物を得ることが目的である。
【課題を解決するための手段】
【０００６】
第１の態様に係る建物は、第１の車椅子で進入可能な進入面と並設されると共に当該進入面に停まった当該第１の車椅子から移乗可能な高さに当該進入面から移乗面までの高さが設定された移乗部と、前記移乗部と隣接しかつ第２の車椅子で移動可能な床面を備えると共に当該床面に停まった当該第２の車椅子に前記移乗部から移乗可能な高さに当該床面から前記移乗面までの高さが設定された部屋と、を有している。
【０００７】
第１の態様に係る建物では、第１の車椅子で進入可能な進入面と移乗部とが並設されており、進入面から移乗部の移乗面までの高さは、進入面に停まった第１の車椅子から車椅子使用者が移乗部へ移乗することが可能な高さに設定されている。このため、本態様では、車椅子使用者が進入面に停まった第１の車椅子から移乗部に容易に移乗することができる。
【０００８】
ところで、車椅子使用者は、移乗部に移乗するときに第１の車椅子から降りることになるため、車椅子使用者が移乗部から建物の他の箇所に移動することが困難となる。
【０００９】
ここで、本態様では、移乗部と隣接して部屋が設けられており、当該部屋の床面は第２の車椅子で移動可能とされている。また、部屋の床面から移乗部の移乗面までの高さは、当該床面に停まった第２の車椅子に移乗部から移乗可能な高さに設定されている。このため、本態様では、車椅子使用者が部屋の床面に停まった第２の車椅子に移乗部から容易に移乗することができ、ひいては車椅子使用者が第２の車椅子に乗って建物内を移動することが可能になる。
【００１０】
第２の態様に係る建物は、第１の態様に係る建物において、前記部屋は、洗面室、トイレ及び浴室のうち少なくとも浴室を含むと共に、前記部屋側と屋外側とを連通する勝手口をさらに有している。
【００１１】
第２の態様に係る建物では、移乗部と隣接する部屋が、洗面室、トイレ及び浴室のうち少なくとも浴室を含んでおり、車椅子使用者は、移乗部から第２の車椅子に移乗して洗面室、トイレ及び浴室のうち少なくとも浴室に移動することができる。また、建物には、上記部屋側と屋外側とを連通する勝手口が設けられているため、車椅子使用者の介助者を外部から呼ぶ必要がある場合には、当該介助者は訪問時に当該勝手口を通って当該部屋に行くことができる。このため、本態様では、移乗部を居住者のプライベートスペースとして用いることができる。
【００１２】
第３の態様に係る建物は、第１の態様又は第２の態様に係る建物において、前記進入面のレベルと前記床面のレベルとが同じレベルに設定されている。
【００１３】
第３の態様に係る建物では、進入面のレベルと移乗部と隣接する部屋の床面のレベルとが同じレベルに設定されており、進入面から移乗部の移乗面までの高さと当該床面から当該移乗面までの高さとを同じ高さに設定することができる。
【００１４】
第４の態様に係る建物は、第１の態様〜第３の態様の何れか１態様に係る建物において、前記移乗部は、当該移乗部から水平方向に張り出して前記進入面の建物上方側に位置する第１張出部と、当該移乗部から水平方向に張り出して前記床面の建物上方側に位置する第２張出部と、を有している。
【００１５】
第４の態様に係る建物では、移乗部に第１張出部が設けられており、当該第１張出部は当該移乗部から水平方向に張り出して進入面の建物上方側に位置している。このため、進入面側から移乗部に移乗するときに、車椅子使用者の足部等を第１張出部の下側に潜り込ませることで、第１の車椅子の座面を移乗部に近付けることができる。また、移乗部に設けられた第２張出部は、当該移乗部から水平方向に張り出して当該移乗部と隣接する部屋の床面における建物上方側に位置している。このため、移乗部と隣接する部屋側から移乗部に移乗するときに、車椅子使用者の足部等を第２張出部の下側に潜り込ませることで、第２の車椅子の座面を移乗部に近付けることができる。
【００１６】
第５の態様に係る玄関構造は、第１の態様〜第４の態様の何れか１態様に係る建物において、前記移乗部は、前記進入面側の周縁部及び前記部屋側の周縁部以外の周縁部において玄関に廊下を介して接続されている。
【００１７】
第５の態様に係る建物では、車椅子使用者が移乗するときに使う進入面側の周縁部及び部屋側の周縁部以外の周縁部において、移乗部が廊下を介して玄関に接続されている。このため、車椅子を使用しない居住者は、玄関から廊下を通って移乗部における車椅子使用者が移乗に使用しない箇所で当該移乗部に出入することができる。
【００１８】
第６の態様に係る建物は、第１の態様〜第５の態様の何れか１態様に係る建物において、前記進入面は、建物に設けられたインナーガレージの駐車面とされている。
【００１９】
第６の態様に係る建物では、車椅子使用者は、建物に設けられたインナーガレージの駐車面から建物の移乗部に移乗することができる。
【００２０】
第７の態様に係る建物は、第５の態様を引用する第６の態様に係る建物において、前記玄関側にガレージ出入口が設けられていると共に当該玄関の一方側に配置された前記インナーガレージとしての第１インナーガレージと、前記玄関の前記一方側と反対側の他方側に配置されていると共に当該玄関に設けられた第１玄関出入口を介して当該玄関と連通されている第２インナーガレージと、前記玄関における前記ガレージ出入口側に設けられた第２玄関出入口と、をさらに有し、前記廊下は、前記部屋に接続されている。
【００２１】
第７の態様に係る建物では、玄関側にガレージ出入り口が設けられた第１インナーガレージが当該玄関の一方側に配置されていると共に、当該玄関の当該一方側と反対側の他方側には、第１玄関出入口を介して当該玄関と連通されている第２インナーガレージが配置されている。このため、車椅子使用者の介助者の訪問時には、当該介助者は、第１インナーガレージに駐車し、居住者は、第２インナーガレージに駐車することができる。そして、第１インナーガレージは、移乗部と隣接しているため、介助者は、駐車してから車椅子使用者の移乗部への移乗の介助に円滑に移ることができる。
【００２２】
また、玄関には、ガレージ出入口側に第２玄関出入口が設けられていると共に、当該玄関と移乗部とは、廊下で接続されている。このため、介助者は、ガレージ出入口から第１ガレージを出て、第２玄関出入口から玄関に入って廊下を経由し、移乗部と隣接した部屋に入ることができる。その結果、車椅子使用者の移乗部への移乗を介助した後に、移乗部と隣接した部屋での当該車椅子使用者の介助に円滑に移ることができる。しかも、介助者が第１玄関出入口から移乗部と隣接した部屋に入る場合と比し、当該介助者の建物内での移動経路を短くすることができる。
【発明の効果】
【００２３】
以上説明したように、第１の態様に係る建物では、車椅子使用者の移乗部への移乗を容易にしつつ、車椅子使用者の移乗部からの動線を確保することができるという優れた効果を有する。
【００２４】
第２の態様に係る建物では、車椅子使用者による洗面室、トイレ及び浴室のうち少なくとも浴室の利用を容易にすることができると共に、建物の内側のプライバシーを確保することができるという優れた効果を有する。
【００２５】
第３の態様に係る建物では、進入面側と移乗部と隣接する部屋の床面側とで同じ車椅子を用いることができるという優れた効果を有する。
【００２６】
第４の態様に係る建物では、車椅子使用者の移乗部への移乗をより容易にすることができるという優れた効果を有する。
【００２７】
第５の態様に係る建物では、車椅子を使用する居住者の動線と車椅子を使用しない居住者の動線とが重なることを抑制することができるという優れた効果を有する。
【００２８】
第６の態様に係る建物では、屋内で車椅子から移乗部に移乗することができるという優れた効果を有する。
【００２９】
第７の態様に係る建物では、介助者の作業効率の確保と建物の内側のプライバシーの確保との両立を図ることができるという優れた効果を有する。
【図面の簡単な説明】
【００３０】
【図１】本実施形態に係る建物の畳コーナー周辺の構成を示す間取り図である。
【図２】本実施形態に係る建物の畳コーナー周辺の構成を示す斜視図である。
【図３】本実施形態に係る建物の張出部の構成を模式的に示す縦断面図（図１の３−３線に沿って切断した状態を示す断面図）である。
【図４】本実施形態に係る建物の一階部分の構成を示す間取り図である。
【発明を実施するための形態】
【００３１】
以下、図１〜図４を用いて、本発明の実施形態に係る建物の一例について説明する。まず、本実施形態に係る「建物１０」の全体構造について説明する。本実施形態に係る建物１０は、二階建の住宅とされており、図示しない基礎、図４に示される一階部分１２、図示しない二階部分含んで構成されている。この建物１０は、鉄骨軸組み工法により構築されており、当該建物１０の図示しない躯体は、角筒状の鋼製の柱及びＩ型鋼等で構成された梁を含んで構成されている。なお、建物１０は、ユニット工法等の鉄骨軸組み工法以外の工法で構築されていてもよい。
【００３２】
建物１０の一階部分１２は、図４に示されるように、平面視で、長手方向一方側を道路１４側とされた略長方形状に構築されており、当該一階部分１２は、居住部１６と、非居住部である「第１インナーガレージ１８」及び「第２インナーガレージ２０」とを含んで構成されている。なお、建物１０の二階部分も一階部分１２と同様に略長方形状に構築されているため、建物１０の長手方向と一階部分１２の長手方向とは同一の方向であり、建物１０の短手方向と一階部分１２の短手方向とは同一の方向である。
【００３３】
詳しくは、第１インナーガレージ１８は、その長手方向が建物長手方向となるように設けられており、当該一階部分１２における建物短手方向一方側の部分を主に構成している。この第１インナーガレージ１８のガレージ出入口としての「出入口２２」は、道路１４に対向して設けられていると共に、第１の車椅子としての「車椅子２４」（図１参照）で進入可能な構成とされている。また、第１インナーガレージ１８の進入面としての「駐車面２６」は、略水平面とされており、車椅子２４で進入可能（移動可能）となっている。なお、第１インナーガレージ１８の駐車面２６は、建物１０の土間面と見なすこともできる。
【００３４】
一方、第２インナーガレージ２０は、第１インナーガレージ１８と同様に、その長手方向が建物長手方向となるように設けられており、当該一階部分１２の道路１４側でかつ短手方向他方側の部分を構成している。この第２インナーガレージ２０は、その出入口２８が道路１４に対向して設けられていると共に、その幅（短手方向の長さ）が、第１インナーガレージ１８の幅よりも長く設定されている。なお、第１インナーガレージ１８の出入口２２は、第２インナーガレージ２０の出入口２８よりも屋内側に奥まった位置に設けられている。そして、第２インナーガレージ２０における建物短手方向一方側の部分を構成する壁部３０には、第１玄関出入口としての「出入口３２」が設けられており、当該出入口３２から建物１０の「玄関３４」への出入が可能となっている。換言すれば、第２インナーガレージ２０は、出入口３２を介して玄関３４と連通されている。なお、壁部３０は、玄関３４の建物短手方向他方側の部分を構成していると捉えることもできる。
【００３５】
玄関３４は、平面視で、第２インナーガレージ２０における建物短手方向一方側に配置されており、道路１４側から見ると、第１インナーガレージ１８と第２インナーガレージ２０との間に配置されている。つまり、玄関３４を中心として見ると、玄関３４の一方側には、第１インナーガレージ１８が配置されており、当該一方側と反対側の他方側には、第２インナーガレージ２０が配置されている。また、玄関３４における建物短手方向一方側の壁部３６には、第２玄関出入口としての「出入口３８」が設けられている。つまり、出入口３８は、玄関３４における第１インナーガレージ１８の出入口２２側に設けられている。これは、第１インナーガレージ１８側を中心として見ると、出入口２２が玄関３４側に設けられていると捉えることもできる。
【００３６】
ここで、本実施形態では、「洗面室４０」、「トイレ４２」及び「浴室４４」と、移乗部としての「畳コーナー４６」を含んで構成された居住部１６の構成に特徴がある。以下、本実施形態の要部である畳コーナー４６を中心とする居住部１６の構成について詳細に説明する。
【００３７】
図１に示されるように、畳コーナー４６は、一階部分１２における建物長手方向他方側でかつ建物短手方向中央部を構成している。また、畳コーナー４６は、平面視で、その周縁部が正方形を象るように構成されており、畳コーナー４６の移乗面としての「床面４８」は、複数枚の畳４９が敷設されて構成されている。
【００３８】
より詳しくは、畳コーナー４６は、第１インナーガレージ１８と並設されており、その第１インナーガレージ１８側の「周縁部４６Ａ」には、図２及び図３にも示されるように、「第１張出部５０」が設けられている。この第１張出部５０は、木製の板材で構成されていると共に、畳コーナー４６から第１インナーガレージ１８側に水平方向に張り出して、駐車面２６の建物上方側に位置している。
【００３９】
また、第１張出部５０の上面５０Ａのレベルは、畳コーナー４６の床面４８と同じレベルに設定されていると共に、第１インナーガレージ１８の駐車面２６から当該上面５０Ａまでの高さＨ１が、車椅子２４から第１張出部５０ひいては畳コーナー４６に移乗可能な高さに設定されている。本実施形態では、一例として、高さＨ１が４００[ｍｍ]に設定されており、座面高さＺ１が４２０[ｍｍ]の車椅子２４と第１張出部５０（畳コーナー４６）との間で移乗が容易となるようになっている。なお、畳コーナー４６と第１張出部５０との境界部には、引戸５２が配置されており、当該引戸５２によって畳コーナー４６と第１インナーガレージ１８とを仕切ることが可能となっている。
【００４０】
一方、畳コーナー４６における第１インナーガレージ１８と反対側（建物短手方向他方側）には、トイレ４２、洗面室４０及び浴室４４が、建物長手方向一方側からこの順に配置されている。詳しくは、トイレ４２と洗面室４０とが引戸５４を介して連通されており、洗面室４０と浴室４４とが引戸５６を介して連通されている。また、トイレ４２の「床面５８」、洗面室４０の「床面６０」及び浴室４４の「床面６２」は、それぞれ同じレベルに設定されていると共に、これらの床面５８、６０、６２は、洗面室４０に配置された第２車椅子としての「車椅子６４」で移動可能とされている。つまり、引戸５４及び引戸５６を開け放した状態では、これらの部屋を一つの「部屋６６」と見なすこともできる。なお、床面５８、床面６０及び床面６２のレベルは、第１インナーガレージ１８の駐車面２６と同じレベルに設定されている。そして、洗面室４０は、引戸６８を介して畳コーナー４６と連通されている。
【００４１】
畳コーナー４６における引戸６８が配置されている箇所には、木製の板材で構成された「第２張出部７０」が設けられている。つまり、第２張出部７０は、畳コーナー４６における洗面室４０側の「周縁部４６Ｂ」の一部を構成していると捉えることもできる。この第２張出部７０は、畳コーナー４６の床面４８の一部を構成していると共に、その一部が畳コーナー４６から洗面室４０側に水平方向に張り出して、洗面室４０の床面６０の建物上方側に位置している。
【００４２】
また、第２張出部７０の上面７０Ａのレベルは、畳コーナー４６の床面４８と同じレベルに設定されていると共に、洗面室４０の床面６０から当該上面７０Ａまでの高さＨ２が、第２張出部７０ひいては畳コーナー４６から車椅子６４に移乗可能な高さに設定されている。なお、上述したように、第１インナーガレージ１８の駐車面２６のレベルと洗面室４０の床面６０のレベルとが同じレベルに設定されているので、高さＨ２は高さＨ１と同じく４００[ｍｍ]に設定されている。これにより、座面高さＺ２が４２０[ｍｍ]の車椅子６４と第２張出部７０（畳コーナー４６）との間で移乗が容易となるようになっている。
【００４３】
また、畳コーナー４６は、図４にも示されるように、その建物長手方向一方側の「周縁部４６Ｃ」における建物短手方向他方側（第２張出部７０における建物長手方向一方側の周縁部７０Ｂ）において、「廊下７２」を介して玄関３４に接続されている。この廊下７２は建物長手方向に延びていると共に、トイレ４２とドア（開き戸）７４を介して連通されている。
【００４４】
さらに、廊下７２の長手方向中央部には、建物短手方向他方側に下る階段７６が設けられており、当該階段７６は「勝手口７８」に繋がっている。この勝手口７８は、第２インナーガレージ２０における建物長手方向他方側の部分を構成する壁部８０に設けられており、当該勝手口７８、階段７６及び廊下７２を介して第２インナーガレージ２０と畳コーナー４６とが連通されている。また、階段７６は、トイレ４２と隣接しているので、勝手口７８を介してトイレ４２を含む部屋６６側、より具体的には、廊下７２及び階段７６を含む部屋６６の隣接部と屋外側とが連通されていると捉えることもできる。
【００４５】
＜本実施形態の作用及び効果＞
次に、本実施形態の作用並びに効果を説明する。
【００４６】
本実施形態では、車椅子２４で進入可能な駐車面２６と畳コーナー４６とが並設されており、駐車面２６から畳コーナー４６の床面４８までの高さは、駐車面２６に停まった車椅子２４から車椅子使用者が畳コーナー４６へ移乗することが可能な高さに設定されている。このため、本実施形態では、車椅子使用者が駐車面２６に停まった車椅子２４から畳コーナー４６に容易に移乗することができる。
【００４７】
ところで、車椅子使用者は、畳コーナー４６に移乗するときに車椅子２４から降りることになるため、車椅子使用者が畳コーナー４６から建物１０の他の箇所に移動することが困難となる。
【００４８】
ここで、本実施形態では、畳コーナー４６と隣接して部屋６６が設けられており、当該部屋６６の床面６０は車椅子６４で移動可能とされている。また、部屋６６の床面６０から畳コーナー４６の床面４８までの高さは、床面６０に停まった車椅子６４に畳コーナー４６から移乗可能な高さに設定されている。このため、本実施形態では、車椅子使用者が部屋６６の床面６０に停まった車椅子６４に畳コーナー４６から容易に移乗することができ、ひいては車椅子使用者が車椅子６４に乗って建物１０内を移動することが可能になる。その結果、本実施形態では、車椅子使用者の畳コーナー４６への移乗を容易にしつつ、車椅子使用者の畳コーナー４６からの動線を確保することができる。
【００４９】
また、本実施形態では、畳コーナー４６と隣接する部屋６６が、洗面室４０、トイレ４２及び浴室４４を含んで構成されており、車椅子使用者は、畳コーナー４６から車椅子６４に移乗して洗面室４０、トイレ４２及び浴室４４に移動することができる。また、建物１０には、部屋６６側と屋外側とを連通する勝手口７８が設けられているため、車椅子使用者の介助者を外部から呼ぶ必要がある場合には、当該介助者は、訪問時に当該勝手口７８を通って部屋６６に行くことができる。このため、本実施形態では、介助者が畳コーナー４６を通ることなく、部屋６６に行って車椅子使用者の介助を行うことができると共に、畳コーナー４６を居住者のプライベートスペースとして用いることができる。その結果、本実施形態では、車椅子使用者による洗面室４０、トイレ４２及び浴室４４の利用を容易にすることができると共に、建物１０の内側のプライバシーを確保することができる。
【００５０】
また、本実施形態では、駐車面２６のレベルと畳コーナー４６と隣接する洗面室４０の床面６０のレベルとが同じレベルに設定されており、駐車面２６から畳コーナー４６の床面４８までの高さと床面６０から床面４８までの高さとを同じ高さに設定することができる。このため、本実施形態では、駐車面２６側と床面６０側とで同じ車椅子を用いることができ、その結果、駐車面２６側で使用した車椅子を床面６０側に移動させて使用するといった運用も可能となる。
【００５１】
また、本実施形態では、畳コーナー４６に第１張出部５０が設けられており、第１張出部５０は畳コーナー４６から水平方向に張り出して駐車面２６の建物上方側に位置している。このため、駐車面２６側から畳コーナー４６に移乗するときに、車椅子使用者の足部等を第１張出部５０の下側に潜り込ませることで、車椅子２４の座面を畳コーナー４６に近付けることができる。また、畳コーナー４６に設けられた第２張出部７０は、畳コーナー４６から水平方向に張り出して洗面室４０の床面６０における建物上方側に位置している。このため、洗面室４０側から畳コーナー４６に移乗するときに、車椅子使用者の足部等を第２張出部７０の下側に潜り込ませることで、車椅子６４の座面を畳コーナー４６に近付けることができる。その結果、本実施形態では、車椅子使用者の畳コーナー４６への移乗をより容易にすることができる。
【００５２】
また、本実施形態では、車椅子使用者が移乗するときに使う駐車面２６側の周縁部４６Ａ及び洗面室４０側の周縁部４６Ｂ以外の周縁部において、畳コーナー４６が廊下７２を介して玄関３４に接続されている。このため、車椅子を使用しない居住者は、玄関３４から廊下７２を通って畳コーナー４６における車椅子使用者が移乗に使用しない箇所で畳コーナー４６に出入することができる。その結果、本実施形態では、車椅子を使用する居住者の動線と車椅子を使用しない居住者の動線とが重なることを抑制することができる。
【００５３】
また、本実施形態では、車椅子使用者は、建物１０に設けられた第１インナーガレージ１８の駐車面２６から建物１０の畳コーナー４６に移乗することができる。このため、本実施形態では、屋内で車椅子２４から畳コーナー４６に移乗することができる。
【００５４】
加えて、本実施形態では、玄関３４側に出入口２２が設けられた第１インナーガレージ１８が玄関３４の一方側に配置されている。また、玄関３４の一方側と反対側の他方側には、出入口３２を介して当該玄関３４と連通されている第２インナーガレージ２０が配置されている。このため、車椅子使用者の介助者の訪問時には、当該介助者は、第１インナーガレージ１８に駐車し、居住者は、第２インナーガレージ２０に駐車することができる。そして、第１インナーガレージ１８は、畳コーナー４６と隣接しているため、介助者は、駐車してから車椅子使用者の畳コーナー４６への移乗の介助に円滑に移ることができる。
【００５５】
また、玄関３４には、出入口２２側に出入口３８が設けられていると共に、当該玄関３４と畳コーナー４６とは、廊下７２で接続されている。このため、介助者は、出入口２２から第１インナーガレージ１８を出て、出入口３８から玄関３４に入って廊下７２を経由し、畳コーナー４６と隣接した部屋６６に入ることができる。その結果、車椅子使用者の畳コーナー４６への移乗を介助した後に、部屋６６での当該車椅子使用者の介助に円滑に移ることができる。しかも、介助者が出入口３２から部屋６６に入る場合と比し、当該介助者の建物１０内での移動経路を短くすることができる。したがって、本実施形態では、介助者の作業効率の確保と建物１０の内側のプライバシーの確保との両立を図ることができる。
【００５６】
＜上記実施形態の補足説明＞
（１）  上述した実施形態では、建物１０に第１インナーガレージ１８を設ける構成としたが、建物１０と隣接して設けられた駐車場の駐車面と畳コーナー４６とが並設される構成としてもよい。
【００５７】
（２）  また、上述した実施形態では、第２インナーガレージ２０の幅が、第１インナーガレージ１８の幅よりも長く設定されていたが、これに限らない。例えば、第１インナーガレージ１８の幅と第２インナーガレージ２０の幅とが同じ長さに設定されている等種々の構成を取り得る。
【００５８】
（３）  また、上述した実施形態では、高さＨ１及び高さＨ２がそれぞれ４００[ｍｍ]に設定されていたが、これに限らない。具体的には、使用される車椅子の構成等に応じて、高さＨ１及び高さＨ２は、４００[ｍｍ]〜４５０[ｍｍ]程度の範囲で変更してもよい。また、高さＨ１と高さＨ２とは、それぞれ異なる値に設定されていてもよい。
【００５９】
（４）  また、上述した実施形態では、畳コーナー４６に第１張出部５０及び第２張出部７０が設けられていたが、建物１０のプラン等に応じて、第１張出部５０及び第２張出部７０を設けない構成としてもよい。
【００６０】
（５）  また、上述した実施形態では、洗面室４０トイレ４２及び浴室４４を含んで部屋６６が構成されていたが、部屋６６は、これらのうち浴室４４のみを含んで構成されていてもよいし、浴室４４と、洗面室４０又はトイレ４２の何れか一方とを含んで構成されていてもよい。さらに、部屋６６は、上述した所謂水廻りに限らず、種々の構成を取り得る。
【００６１】
（６）  加えて、上述した実施形態では、畳４９が敷設された畳コーナー４６を設けたが、畳コーナー４６の代わりに、カーペットやフローリング等の床敷材が敷設されたコーナーを設ける構成としてもよい。
【符号の説明】
【００６２】
１０      建物
１８      第１インナーガレージ（インナーガレージ）
２０      第２インナーガレージ
２２      出入口（ガレージ出入口）
２４      車椅子（第１の車椅子）
２６      駐車面（進入面）
３２      出入口（第１玄関出入口）
３４      玄関
３８      出入口（第２玄関出入口）
４０      洗面室
４２      トイレ
４４      浴室
４６      畳コーナー（移乗部）
４６Ａ    周縁部（進入面側の周縁部）
４６Ｂ    周縁部（部屋側の周縁部）
４６Ｃ    周縁部（進入面側の周縁部及び部屋側の周縁部以外の周縁部）
４８      床面（移乗面）
５０      第１張出部
５８      床面
６０      床面
６２      床面
６４      車椅子（第２の車椅子）
６６      部屋
７０      第２張出部
７２      廊下
７８      勝手口
【図１】
2017206835.tif 000003
【図２】
2017206835.tif 000004
【図３】
2017206835.tif 000005
【図４】
2017206835.tif 000006